(57)【特許請求の範囲】
【請求項１】
画像支持体上に形成された静電潜像を帯電した顕像化粒子であるトナーによって現像する静電潜像の液体現像装置であって、
絶縁性液体中にトナーが高濃度に分散された粘度が１００〜１００００ｍＰａ・ｓの液体現像剤を、現像剤支持体に離接する複数の搬送ローラで搬送し、薄層を形成する現像剤支持体と、
前記現像剤支持体を前記画像支持体に離接させる離接手段とを具備し、
前記現像剤支持体は少なくとも二つのローラによって保持された可撓性を有し、表面が導電性処理がされたベルト状のものであり、前記離接手段は一つの前記ローラを軸に回動することにより前記ローラの軸間距離を変えることなく前記現像剤支持体を前記画像支持体に離接させるものである
ことを特徴とする静電潜像の液体現像装置。
【請求項２】
前記液体現像剤は、絶縁性液体の粘度が０．５〜１０００ｍＰａ・ｓ、電気抵抗が１０１２Ωｃｍ以上、表面張力が２１ｄｙｎｅ／ｃｍ以下、沸点が１００℃以上であることを特徴とする請求項１記載の静電潜像の液体現像装置。
【請求項３】
前記液体現像剤は、シリコンオイルを絶縁性液体として利用するものであることを特徴とする請求項２記載の静電潜像の液体現像装置。
【請求項４】
前記液体現像剤は、平均粒径０．１〜５μｍのトナーを５〜４０％の濃度で含むものであることを特徴とする請求項１，２又は３記載の静電潜像の液体現像装置。
【請求項５】
前記現像剤支持体上に形成される液体現像剤層の厚みを５〜４０μｍにすることを特徴とする請求項１，２，３又は４記載の静電潜像の液体現像装置。
【発明の詳細な説明】
【０００１】
【産業上の利用分野】
本発明は、電子写真や静電記録、イオノグラフィ等の方法で形成された静電潜像を、液体現像剤を用いて可視像化する静電潜像の液体現像装置に関するものである。
【０００２】
【従来の技術】
従来より、静電潜像の液体現像装置では、画像支持体上の潜像面に液体現像剤を供給する方法として、現像剤支持体である現像ローラの表面に凹凸を設け、凹部に液体現像剤を保持して画像支持体に供給する方法、現像剤支持体にスポンジローラを用い、スポンジローラを画像支持体に押圧することによりスポンジローラに吸収された液体現像剤を画像支持体に供給する方法等が用いられている。
【０００３】
【発明が解決しようとする課題】
しかしながら、上記の方法を用いたモノクロの液体現像装置では、画像支持体と現像剤支持体とを常に当接させていた。また、上記の方法を用いたカラー対応の液体現像装置では、各色に対応した複数の現像剤支持体を備えており、画像支持体に当接させる現像剤支持体を切り換える場合を除き、複数の現像剤支持体のうちいずれか一つの現像剤支持体と画像支持体とを常に当接させていた。このため、画像支持体及び現像剤支持体が磨耗しやすいという問題があった。また、両者の当接開始位置に塵が溜まり、これにより、画像支持体の表面に傷が付いて画質が劣化するという問題もあった。さらに、カラー対応の液体現像装置では、画像支持体と現像剤支持体との間に少量発生する液体現像剤の液溜まりにより、混色が生じるという問題もあった。
【０００４】
【目的】
本発明は上記事情に基づいてなされたものであり、画像支持体及び現像剤支持体が磨耗するのを抑制することができると共に、画像支持体の表面に傷が付いて画質が劣化するのを防止することができ、且つカラー対応とした場合、画像支持体と現像剤支持体との間に発生する液溜まりにより混色が発生するのを防止することができる静電潜像の液体現像装置を提供することを目的とするものである。
【０００５】
【課題を解決するための手段】
上記目的を達成するために、本発明の静電潜像の液体現像装置は、画像支持体上に形成された静電潜像を帯電した顕像化粒子であるトナーによって現像する静電潜像の液体現像装置であって、絶縁性液体中にトナーが高濃度に分散された粘度が１００〜１００００ｍＰａ・ｓの液体現像剤を、現像剤支持体に離接する複数の搬送ローラで搬送し、薄層を形成する現像剤支持体と、前記搬送ローラを現像剤支持体に離接させる離接手段と前記現像剤支持体を前記画像支持体に離接させる離接手段とを具備し、前記現像剤支持体は少なくとも二つのローラによって保持された可撓性を有し、表面が導電性処理がされたベルト状のものであり、前記離接手段は一つの前記ローラを軸に回動することにより前記ローラの軸間距離を変えることなく前記現像剤支持体を前記画像支持体に離接させるものであることを特徴とする。
【０００８】
請求項２に記載した本発明の静電潜像の液体現像装置は、請求項１記載の発明において、前記液体現像剤の絶縁性液体の粘度が０．５〜１０００ｍＰａ・ｓ、電気抵抗が１０１２Ωｃｍ以上、表面張力が２１ｄｙｎｅ／ｃｍ以下沸点が１００°Ｃ以上であることを特徴とするものである。
【０００９】
請求項３に記載した本発明の静電潜像の液体現像装置は、請求項２記載の発明において、前記液体現像剤が、シリコンオイルを絶縁性液体として利用するものであることを特徴とするものである。
【００１０】
請求項４に記載した本発明の静電潜像の液体現像装置は、請求項１，２又は３記載の発明において、前記液体現像剤が、平均粒径０．１〜５μｍのトナーを５〜４０％の濃度で含むものであることを特徴とするものである。
請求項５に記載した本発明の静電潜像の液体現像装置は、請求項１，２，３又は４記載の発明において、前記現像剤支持体上に形成される液体現像剤層の厚みを５〜４０μｍにすることを特徴とするものである。
【００１１】
【作用】
請求項１記載の静電潜像の液体現像装置は、現像剤支持体を画像支持体に離接させる離接手段を設けたことにより、液体現像剤を画像支持体上の潜像面に供給するときにのみ現像剤支持体を画像支持体に当接させることができる。これにより、画像支持体と現像剤支持体とが常に当接している装置に比べ、両者の磨耗を抑制することができる。また、画像支持体と現像剤支持体とを離した状態で両者の表面をブレード等でクリーニングすることができるので、両者の当接開始位置に現像剤や塵が溜まるのを防止することができ、したがって、カラー対応の液体現像装置とした場合、画像支持体と現像剤支持体との間に発生する現像剤の液溜まりにより、混色が生じるのを防止することができ、また、画像支持体の表面にプリウェット液を塗布する装置においては、画像支持体と現像剤支持体との当接開始位置にプリウェット液が溜まるのを防止することができる。
【００１２】
また、一のローラを軸に回動することにより現像剤支持体をローラの軸間距離を変えることなく画像支持体に離接させるので、現像剤支持体を常に一定の張力で保持することができる。したがって、画像支持体と現像剤支持体とを離接させる際に張力が変化して現像剤支持体が蛇行する等の走行不具合が生じるのを防止することができる。
【００１３】
更に、トナーが高濃度に分散された液体現像剤を用いたことにより、従来の低濃度の液体現像剤に比べて、液量を遥かに少なくすることができる。液体現像剤は、粘度が１００００ｍＰａ・ｓ以上になると、絶縁性液体とトナーとの攪拌が難しくなり、液体現像剤をどのようにして作るかが問題となる。したがって、１００００ｍＰａ・ｓ以上の液体現像剤はコスト的に見合わなくなり、現実的でなくなる。一方、１００ｍＰａ・ｓ以下では、トナー濃度が低くなるとともに、トナーの分散性が悪くなるので、現像液を薄層にして現像することができなくなる。
【００１４】
請求項２記載の静電潜像の液体現像装置は、絶縁性液体に前記特性のものを用いることにより、高粘度の液体現像剤を得ることができる。現像剤支持体上に形成される液体現像剤は薄層状に形成されるため、液体現像剤層中に含まれる絶縁性液体はきわめて少量であるので、画像支持体の潜像面に供給される液体現像剤中に含まれる絶縁性液体もきわめて少量である。したがって、転写時に紙等に吸収される絶縁性液体はきわめて少量となるので、粘度が１０００ｍＰａ・ｓ以下であれば絶縁性液体の紙等への付着の問題は特に生じない。しかし、粘度が０．５ｍＰａ・ｓ以下であると揮発性が高くなるので、危険物扱いとなり適当でない。絶縁性液体は沸点が１００℃以下であると、蒸発量が多くなるので現像剤の保存方法に問題があり、装置全体を密閉構造にしなければならず、また作業環境を改善することも難しくなる。電気抵抗は１０１２Ωｃｍ以下になると、絶縁性が悪くなり、トナーの導電性の問題が起こり現像剤として使用できなくなる。したがって、電気抵抗はできるだけ高い値が望ましい。表面張力は２１ｄｙｎｅ／ｃｍ以上になると、濡れ性が悪くなる。したがって、表面張力は、できるだけ低い値が望ましい。
【００１５】
請求項３記載の静電潜像の液体現像装置は、絶縁性液体がシリコンオイルを主成分としたものであることにより、請求項２記載の特性を有する絶縁性液体を得ることができる。
【００１６】
請求項４記載の静電潜像の液体現像装置は、液体現像剤が平均粒径０．１〜５μｍのトナーを５〜４０％の濃度で含むものであることにより、絶縁性液体中にトナーが高濃度に分散された液体現像剤を得ることができる。また、トナーの粒径の大きさに略反比例して、解像度が良くなる。通常、トナーは、プリントアウトされた紙上で５〜１０個位の固まりとなって、存在しているので、トナーの平均粒径が５μｍ以上になると、解像度が悪くなる。一方、トナーの平均粒径が０．１μｍ以下になると、物理的な接着力が大きくなり、転写の際にトナーを剥がし難くなる。
【００１７】
【実施例】
以下に本発明の一実施例を図１乃至図６を参照して説明する。図１は本発明の一実施例である静電潜像の液体現像装置の概略構成図、図２は図１に示す静電潜像の液体現像装置に用いられる現像装置の概略正面図、図３は図２に示す現像装置の左側面図、図４は図３に示す現像装置のＡ−Ａ矢視方向概略断面図、図５は図２に示す現像装置のＸ矢視方向概略図、図６は図２に示す現像装置に用いられる離接装置の動作を説明するための図、図７は図１に示す静電潜像の液体現像装置の動作を説明するための図である。
【００１８】
本発明の一実施例である静電潜像の液体現像装置１は、図１に示すように、画像支持体である感光体１０と、感光体１０上にプリウェット液を塗布するプリウェット装置２０と、感光体１０を帯電させる帯電装置３０と、感光体１０上に像を露光する露光装置４０と、感光体１０の静電潜像が形成された部分にトナーを供給することにより静電潜像を顕像化する現像装置５０と、現像装置５０と感光体１０とを離接させる離接装置５５と、感光体１０上のトナーを所定の紙Ｐに転写すると共に定着させる転写装置６０と、感光体１０上に残留したトナーを除去するクリーニング装置７０と、図示されていないが帯電された感光体１０を除電する除電装置を備えている。
【００１９】
帯電装置３０、露光装置４０、クリーニング装置７０、および除電装置については従来の電子写真式プリンタに用いられている従来技術をほとんどの場合について流用することができる。したがって、本実施例では、上記の各装置の説明を省略して、本発明の主要部であるプリウェット装置２０、現像装置５０、離接装置５５及び転写装置６０について説明する。
【００２０】
本実施例のプリウェット装置２０に要求される機能は、一定の量のプリウェット液を感光体１０上に均一に塗布することである。その目的のためには、スポンジ状のものによりプリウェット液を塗布する方法、感光体１０の幅方向に並んだ複数のノズルからプリウェット液を吐出させる方法、スポンジローラ等によりプリウェット液を塗布する方法等、他の目的でコーティングする方法を用いることができる。本発明者等は種々の方法を試みて、上記の方法が可能であることを確認したが、最も簡便で性能の良い方法は、ベルイータ（登録商標：カネボウ（株））を用いてプリウェット液を塗布する方法であった。ベルイータは、気孔が連続した立体網目構造を有する連続多孔質体であり、気孔の体積分だけプリウェット液を保持することができ、また気孔の体積を越えるプリウェット液が供給されたときには、プリウェット液を表面から均一に放出することができる。尚、本実施例のベルイータには感光体１０との当接面が略半円筒状のものを用いた。
【００２１】
現像装置５０は、図２及び図３に示すように、現像部５１と、塗布部５２とを備えて構成される。現像部５１は、現像剤支持体である現像ベルト５１０と、現像ベルト５１０を回転駆動する駆動ローラ５１２ａ，５１２ｂと、現像ベルト５１０に残留する液体現像剤を除去する掻き取りブレード５１４，５１４と、現像ベルト用現像ベルト用側板５１８，５１８とを備えている。塗布部５２は、現像ベルト５１０の表面に液体現像剤を塗布する塗布部５２ａ，５２ｂ，５２ｃ，５２ｄを備えている。
【００２２】
塗布部５２ａ〜５２ｄは、それぞれ液体現像剤を貯蔵すると共に放出するベローズポンプ５２０と、ベローズポンプ５２０により放出された液体現像剤を現像ベルト５１０に搬送する搬送ローラ５２２ａ，５２２ｂ，５２２ｃ，５２２ｄと、アーム５２４，５２４と、塗布部側板５２８，５２８とを備えている。塗布部５２ａのベローズポンプ５２０ａにはイエローのトナーを含む液体現像剤が、塗布部５２ｂのベローズポンプ５２０ｂにはマゼンダのトナーを含む液体現像剤が、塗布部５２ｃのベローズポンプ５２０ｃにはシアンのトナーを含む液体現像剤が、そして、塗布部５２ｄのベローズポンプ５２０ｄにはブラックのトナーを含む液体現像剤がそれぞれ貯蔵されている。
【００２３】
搬送ローラ５２２ｄは搬送ローラ５２２ｃと当接するように、搬送ローラ５２２ｃは搬送ローラ５２２ｂと当接するように、そして、搬送ローラ５２２ｂは搬送ローラ５２２ａと当接するようにそれぞれ設けられている。搬送ローラ５２２ｄは現像ベルト５１０の回転方向と反対方向に、搬送ローラ５２２ｃは搬送ローラ５２２ｄの回転方向と反対方向に、搬送ローラ５２２ｂは搬送ローラ５２２ｃの回転方向と反対方向に、そして、搬送ローラ５２２ａは搬送ローラ５２２ｂの回転方向と反対方向にそれぞれ回転する。
【００２４】
アーム５２４，５２４には搬送ローラ５２２ｃ，５２２ｄの軸が回動自在に取り付けられている。アーム５２４，５２４は、図示されていない駆動装置により搬送ローラ５２２ｃの軸を軸として回動する。これにより、搬送ローラ５２２ｄを現像ベルト５１０に離接させる。
【００２５】
塗布部側板５２８，５２８には、ベローズポンプ５２０が取り付けられ、また、搬送ローラ５２２ａ〜５２２ｃの軸が回動自在に取り付けられている。
【００２６】
現像ベルト５１０は、駆動ローラ５１２ａ，５１２ｂによって感光体１０の回転方向と反対方向に回転する。現像ベルト５１０には、シームレスのニッケルベルト、ポリイミドベルトのような樹脂ベルト等の可撓性を有するベルト部材が用いられる。尚、現像ベルト５１０は現像バイアスを印加できるものでなければならない。したがって、樹脂ベルトを用いる場合には、ベルト表面を導電加工するかベルト材質に導電性微粒子を添加するなどして電気抵抗値を下げる必要がある。現像ベルト５１０の一方の端部には、図４に示すように、リブ５１０ａが形成されている。リブ５１０ａは、駆動ローラ５１２ａ，５１２ｂの一方の側面に係合されている。駆動ローラ５１２ａ，５１２ｂは、リブ５１０ａが係合される側面の外径が他方の側面の外径よりも若干大きくなるようにテーパー状に形成されている。これは、現像ベルト５１０のリブ５１０ａが形成されていない側の部分にかかるテンションＴ1 をリブ５１０ａが形成されている側の部分にかかるテンションＴ2 より若干弱くすることにより、現像ベルト５１０を常に図４の右側方向（矢印Ａ方向）に押しやるようにして駆動するためである。これにより、現像ベルト５１０にたるみやしわが発生するのを防ぎ、また、現像ベルト５１０が蛇行する等の走行不具合が生じるのを防止することができる。
【００２７】
駆動ローラ５１２ａの軸は、現像ベルト用側板５１８，５１８に回動自在に取り付けられていると同時に、図示されていない装置本体にも回動自在に取り付けられている。駆動ローラ５１２ｂの軸は、現像ベルト用側板５１８に形成された長穴５１８ｂを貫通して、調節板５１８ａ，５１８ａに回動自在に取り付けられている。調節板５１８ａ，５１８ａは、現像ベルト用側板５１８，５１８にスライド可能に取り付けられている。現像ベルト５１０にかかるテンションは、調節板５１８ａ，５１８ａをスライドさせて駆動ローラ５１２ａと駆動ローラ５１２ｂとの軸間距離を変えることにより調節することができる。
【００２８】
離接装置５５は、駆動ローラ５１２ａの軸を軸として現像装置５０を回動させることにより、駆動ローラ５１２ａと駆動ローラ５１２ｂとの軸間距離を変えることなく現像ベルト５１０を感光体１０に離接させる。離接装置５５は、図２及び図５に示すように、図示されていない駆動装置により回動駆動されるリール５５２と、一端がリール５５２に巻き付けられ、他端がバー５１８ｃに巻き付けられたロープ５５４と、ロープ５５４を支持する滑車５５６と、調節板５１８ａと当接するストッパー５５８とを備えている。尚、バー５１８ｃは現像ベルト用側板５１８，５１８に取り付けられている。上述したように、駆動ローラ５１２ａの軸は図示されていない装置本体にも回動自在に取り付けられているので、現像装置５０の駆動ローラ５１２ｂが取り付けられている側をロープ５５４で昇降することにより、駆動ローラ５１２ａの軸を軸として現像装置５０を回動することができ、これにより、駆動ローラ５１２ａと駆動ローラ５１２ｂとの軸間距離を変えることなく現像ベルト５１０を感光体１０に離接させることができる。すなわち、感光体１０と現像ベルト５１０とを当接させる場合、図６（Ａ）に示すように、リール５５２に巻き付けられたロープ５５４を解く方向にリール５５２を回転することにより、調節板５１８ａをストッパー５５８に当接させる。駆動ローラ５１２ａ，５１２ｂの軸は現像ベルト用側板５１８，５１８に取り付けられているので、駆動ローラ５１２ａと駆動ローラ５１２ｂとの軸間距離は変わらない。したがって、現像ベルト５１０を感光体１０に一定の押圧力で当接させることができる。感光体１０と現像ベルト５１０とを離す場合、図６（Ｂ）に示すように、ロープ５５４を巻き取る方向にリール５５２を回転することにより、現像ベルト５１０を感光体１０から引き離す。駆動ローラ５１２ａ，５１２ｂの軸は現像ベルト用側板５１８，５１８に取り付けられているので、駆動ローラ５１２ａと駆動ローラ５１２ｂとの軸間距離は変わらない。したがって、現像ベルト５１０を、一定のテンションを保持しつつ感光体１０から離すことができる。
【００２９】
転写装置６０は、中間転写体である中間転写ベルト６１０と、中間転写ベルト６１０を回転駆動すると共に中間転写ベルト６１０の一部を感光体１０に当接させるようにして保持する駆動ローラ６１２ａ，６１２ｂ，６１２ｃと、中間転写ベルト６１０に当接するようにして設置された二次転写体である二次転写ローラ６１４と、中間転写ベルト６１０上に残留するトナーを除去する掻き取りブレード６１６とを備える。
【００３０】
中間転写ベルト６１０は、駆動ローラ６１２ａ，６１２ｂ，６１２ｃによって感光体１０に従動する方向に回転駆動される。二次転写ローラ６１４は、紙Ｐを介して中間転写ベルト６１０に押圧される。駆動ローラ６１２ｃの内部には、紙Ｐを加熱する定着ヒータ６１８が設けられている。
【００３１】
次に、本発明の一実施例に用いた画像形成用資材について説明する。本実施例に用いた液体現像剤は、エポキシ等のバインダーとなるレジン、トナーに所定の電荷を与える荷電制御剤、着色顔料、トナーを均一に分散させる分散剤等からなるトナーと、キャリア液とからなる。トナーの構成は、従来の液体現像剤に用いられてきたものと基本的には同様であるが、帯電特性及び分散性の調整のためそれらの処方はシリコンオイルに適合するよう変更してある。トナーの平均粒径は、小さい程、解像度がよくなるが、粒径が小さいと物理的接着力が大きくなり転写する際に、はがし難くなる。このため、本実施例ではトナーの平均粒径は、転写性の向上を目的として２〜４μｍあたりに中心が来るように調整してある。
【００３２】
液体現像剤の粘性は、用いるキャリア液、レジン、着色顔料、荷電制御剤などおよびそれらの濃度により決まる。本実施例では、粘度を５０〜６０００ｍＰａ・ｓ、トナー濃度を５〜４０％の範囲で変化させて実験した。
【００３３】
キャリア液は、高電気抵抗を示すジメチルポリシロキサンオイル、環状ポリジメチルシロキサンオイル等の低粘度のものを用いる。尚、現像ベルト５１０上に形成される液体現像剤層は薄層状に形成されるため、液体現像剤層中に含まれるキャリア液はきわめて少量である。したがって、感光体１０の潜像面に供給される液体現像剤中に含まれるキャリア液もきわめて少量となるので、転写時に紙等に吸収されるキャリア液はきわめて少量となる。このため、粘度が１０００ｍＰａ・ｓ以下であれば定着後に残留するキャリア液は、ほとんど見られない。
【００３４】
本発明者等の実験によれば、キャリア液に粘度が２．５ｍＰａ・ｓである米国ダウコーニング社のＤＣ３４４を用いて出画実験を行ったときは、定着後に紙上に残留するキャリア液は見られなかった。しかし、揮発性が高いため、現像装置を密閉構造にする必要が生じた。また、キャリア液に粘度が６．５ｍＰａ・ｓである米国ダウコーニング社のＤＣ３４５を用いて出画実験を行ったときは、ＤＣ３４４を用いて出画実験を行ったときと同様に、定着後に紙上に残留するキャリア液は見られなかった。しかし、揮発性が高いため、現像装置を密閉構造にする必要が生じた。さらに、キャリア液に粘度が２０ｍＰａ・ｓである信越シリコン社のＫＦ−９６−２０を用いて出画実験を行ったときは、定着後に紙上に残留するキャリア液は見られなかった。また、揮発性がそれほど高くないので、現像装置を密閉構造にする必要は生じなかった。ＤＣ３４４，ＤＣ３４５及びＫＦ−９６−２０は、一般的に化粧品に用いられるもので毒性等の安全性は高い。キャリア液については、信越シリコン社のＫＦ９９３７等他に多くの種類があり、電気抵抗、蒸発特性、表面張力、安全性等が満たされていればいずれを選択してもよい。
【００３５】
また、本発明者等が行った実験では、表面張力が大きい場合にはかぶりやトナーの塊が感光体１０に付着することがあり、実験的には２１ｄｙｎｅ／ｃｍ以上では画質に問題が起こりやすいことが分かった。
【００３６】
電気抵抗値としては、トナーの帯電安定性の問題があり、１０14Ωｃｍ以上が望ましい。最低限１０12Ωｃｍ以上は必要である。本実施例の説明では、これらの実験結果に鑑み、価格が低く入手の容易なＤＣ３４５を用いた例を示す。
【００３７】
プリウェット液は、感光体１０上に形成された静電潜像を乱すことなく、定着時に容易に蒸発し、かぶりやトナーの塊が感光体１０に付着しないものであることが要求される。例としては、米国ダウコーニング社のＤＣ３４４，ＤＣ２００−０．６５，−１．０，−２．０、信越シリコン社のＫＦ９６Ｌ−１，ＫＦ９９３７等が挙げられる。一般的に、蒸発性の高いシリコンオイルを選択する必要がある。
【００３８】
本発明者等の行った実験では、液粘度が０．５〜３ｍＰａ・ｓの範囲で問題なく現像、転写、定着による液の乾燥が行われたが、５ｍＰａ・ｓから６ｍＰａ・ｓ程度ではやや定着時の液の乾燥に時間と温度が必要になる傾向が見られた。１０ｍＰａ・ｓでは乾燥に要するエネルギーが大きくなり過ぎ一般的ではない。また、０．５ｍＰａ・ｓ以下であると揮発性が高くなるので、危険物扱いとなり適当でない。また、紙への加熱の影響もあり、沸点は、２５０°Ｃ以下のものである必要がある。
【００３９】
表面張力は、液体現像剤と感光体１０との付着力をなくし、離型性をよくして画像の汚れ、かぶりを防ぎ、また画質の解像力、かぶりを向上させるため、できるだけ低いものがよい。本発明者等の実験によれば、２０〜２１ｄｙｎｅ／ｃｍ程度が限界でこれより低いものを選択する必要がある。
【００４０】
電気抵抗は、低い場合、絶縁性が悪くなり電荷をリークしてしまう。従って、できるだけ高いものを使用する必要がある。実験的には１０14Ωｃｍ程度以上が望ましい。最低限１０12Ωｃｍは必要である。
【００４１】
次に、本発明の第一実施例である静電潜像の現像装置の動作について説明する。先ず、離接装置５５を作動させ、図６（Ｂ）に示すような感光体１０と現像ベルト５１０とが離れた状態から図６（Ａ）に示すように感光体１０と現像ベルト５１０とを当接させる。
【００４２】
次に、図７（Ａ）に示すように、帯電装置３０により感光体１０を帯電する。一般に帯電装置３０には、コロナ放電器が用いられる。次に、帯電した感光体１０上に像を露光する。例えば、レーザースキャナーにより像を露光して感光体１０の表面に静電潜像を形成する。図７（Ｂ）に示すようにレーザースキャナーの光が当たった部分は、導電化するので電荷が消失し、光の当たらなかった部分は電荷の像である静電潜像として残る。
【００４３】
次に、図７（Ｃ）に示すように、プリウェット装置２０により感光体１０上に前述したプリウェット液を塗布する。
【００４４】
次に、現像装置５０により静電潜像を顕像化する。図２に示すように、ベローズポンプ５２０から放出された液体現像剤は、複数の搬送ローラ５２２ａ〜５２２ｄを介して現像ベルト５１０の表面に薄くムラなく塗布される。これにより、現像ベルト５１０上に液体現像剤の薄層を形成することができる。現像装置５０は、各々の塗布部５２ａ〜５２ｄに設けられたアーム５２４，５２４を回動させることにより、いずれかの塗布部５２ａ〜５２ｄを現像ベルト５１０に当接する。これにより、現像ベルト５１０上にイエロー、マゼンダ、シアン及びブラックのうちのいずれかのトナーを含む液体現像剤を薄くムラなく塗布することができる。
【００４５】
次に、現像ベルト５１０上に形成された液体現像剤層を、図７（Ｄ）に示すように、感光体１０の表面に形成された静電潜像に近接させて、静電気力により、帯電したトナーを感光体１０上に移動する。これにより、感光体１０上にトナー像が形成される。トナー像形成後、離接装置５５を作動させ、図６（Ａ）に示すような感光体１０と現像ベルト５１０とが当接した状態から図６（Ｂ）に示すように感光体１０と現像ベルト５１０とを引き離す。尚、現像ベルト５１０上に残留した液体現像剤は掻き取りブレード５１４により除去される。
【００４６】
一方、感光体１０上に形成されたトナー像は、図７（Ｅ）に示すように、転写装置６０により中間転写ベルト６１０上に一次転写される。その後、クリーニング装置７０により感光体１０上に残留した液体現像剤が除去され、また、図示されていない除電装置により感光体１０が除電される。
【００４７】
次に、各々の塗布部５２ａ〜５２ｄに設けられたアーム５２４，５２４を回動させることにより現像ベルト５１０に当接する塗布部５２ａ〜５２ｄを切り換える。そして、再び離接装置５５を作動させ、感光体１０と現像ベルト５１０とを当接させた後、上記の帯電から除電までのサイクルを繰り返すことにより、中間転写ベルト６１０上にイエロー、マゼンダ、シアン及びブラックのトナー像を次々と重ねて転写する。これにより、中間転写ベルト６１０上にカラー化に対応したトナー像が形成される。
【００４８】
次に、図７（Ｆ）に示すように、転写装置６０により中間転写ベルト６１０上に形成されたカラー化に対応したトナー像を記録媒体である紙Ｐに二次転写すると同時に定着させる。中間転写ベルト６１０上に形成されたカラー化に対応したトナー像は、二次転写ローラ６１４の中間転写ベルト６１０への押圧力及び定着ヒータ６１８による熱により、紙Ｐ上に移動し二次転写されると同時に熱的に溶融し定着する。これにより、紙Ｐ上にカラー画像を形成することができる。
【００４９】
図８乃至図１２は本発明の一実施例の現像過程について詳細に説明するための図であり、図８は現像過程の全体を説明するための図、図９は接近過程の様子を示す図、図１０はトナー移動過程の様子を示す図、図１１は非画像部の分離過程の様子を示す図、図１２は画像部の分離過程の様子を示す図である。従来の現像過程と異なり、本実施例の現像過程は、図８に示すように、現像ベルト５１０が感光体１０に接近して液体現像剤が感光体１０の表面に接近する接近過程と、液体現像剤層とプリウェット液層とがソフトコンタクトしてトナーが移動するトナー移動過程と、現像ベルト５１０が感光体１０から離れて現像ベルト５１０に付着するトナーと感光体１０に付着するトナーとに分離される分離過程との３つの過程から成り立っていると考えられる。
【００５０】
接近過程では、現像ベルト５１０を可撓性を有するベルト部材で構成したことにより、図９に示すように、現像ベルト５１０上の液体現像剤層と感光体１０上のプリウェット層とが接触する際の接触圧力が分散され、キャリア液とトナーからなる高粘度の液体現像剤とプリウェット液とはソフトコンタクトされる。これにより粘度の低いプリウェット液は前後に若干押し出されてプリウェット液の液溜りが生ずる。
【００５１】
トナー移動過程においては、図１０に示すように、画像部では、現像ベルト５１０上のトナーが感光体１０上の電荷と現像ベルト５１０の間に形成される電界によって主にクーロン力によりプリウェット液層を通過して潜像面に移動する。一方、非画像部では、現像ベルト５１０上のトナーは、感光体１０の表面と液体現像剤層とがプリウェット液層により分離されているので、感光体１０の表面に移動しない。
【００５２】
分離過程においては、非画像部では、図１１に示すように、液体現像剤は現像ベルト５１０上に残留する。プリウェット液層と液体現像剤層との界面では２つの層が分離する際に、粘度の低いプリウェット液層の一部が液体現像剤層に転移して分離する。したがって、２つの層の分離点は、プリウェット液層の内部にあると考えられる。一方、画像部では、図１２に示すように、感光体１０の表面に移動したトナーがプリウェット液層を押しのけるため、プリウェット液層はトナー層の上に位置し、両者はプリウェット液層の内部で分離する。現像ベルト５１０上には、トナーが移動した後に残るキャリア液の一部とプリウェット液の一部が層を形成する。
【００５３】
図１３は液体現像剤を薄層化したことの意義を説明するための図である。現像ベルト５１０上に塗布された液体現像剤層が厚すぎると、液体現像剤の粘度が高いので、静電気力で現像ベルト５１０から感光体１０の表面に移動しようとするトナー群が、その周りに位置するトナーに対して粘性を断ち切れずにクラスターを形成して、感光体１０の表面に移動する。このため、トナーが過剰に移動し、感光体１０上に形成されたトナー像に乱れが生じて画像ノイズが発生する。このクラスターの発生を抑えるために、液体現像剤層の層厚を現像が十分にできる最小限の値に抑える必要がある。
【００５４】
次に、現像ベルト５１０上の液体現像剤層の層厚、感光体１０上のプリウェット液層の層厚について説明する。現像ベルト５１０上の液体現像剤層の層厚は、液体現像剤の粘性が５０〜１００ｍＰａ・ｓ以上のものについては、特に５００ｍＰａ・ｓ以上のものについては、薄くする必要がある。理想的には、現像時に要求されるトナー現像量（すなわち、ベタ黒を出したときの濃度）を満たす層厚より若干厚目が良い。これは、粘度の高い液体現像剤を用いた場合、現像時に、静電気的に選択されたトナーが液の粘性により余計なトナーを引き連れて感光体１０上に移動してしまうため、感光体１０上に形成されたトナー像に乱れが生じるからである。本発明者等の実験では、トナー濃度の高い液体現像剤については約５μｍの層厚で、また、トナー濃度の低いものについては約４０μｍの層厚で良好な画像が得られた。特に、トナー濃度２０〜３０％の液体現像剤を用いた場合、液体現像剤の層厚が８〜２０μｍで良好な画質が得られた。
【００５５】
感光体１０上のプリウェット液層の層厚は、選択されたプリウェット液の粘度、表面張力により最適値が存在する。薄過ぎる場合には、現像ベルト５１０上のトナーが感光体１０上に不規則に移動して感光体１０上に形成されるトナー像に乱れが生じる。プリウェット液の量を増やしていくに従って、トナー像の乱れは改善されて、最適値が確認される。更に量を増やしていくと、感光体１０上のトナーが流れて、感光体１０上のトナー像がぼける傾向を示す。ＤＣ３４４を用いた実験では、３０μｍ以下、特に２０μｍ以下の厚みで良好な結果を得られた。これより粘性の低いものについては、この結果より薄めでも、厚目でも良い結果を得られる。しかしながら、高粘度のものに関しては、最適値は範囲が狭くなる傾向にある。
【００５６】
上述の条件下で画出し実験をおこなった結果、本実施例の静電潜像の現像装置に最適な液体現像剤及びプリウェット液の粘性に関する範囲は、液体現像剤が１００ｍＰａ・ｓから６０００ｍＰａ・ｓ、プリウェット液が０．５ｍＰａ・ｓから５ｍＰａ・ｓの間であることが分かった。尚、プリウェット液のシリコンオイルには、ダウコーニング製のＤＣ２００シリーズを用い、また現像液のキャリア液には、同社製のＤＣ３４５を用いた。
【００５７】
本実施例によれば、現像ベルト５１０を感光体１０に離接させる離接装置５５を設けたことにより、液体現像剤を感光体１０上の潜像面に供給するときにのみ現像ベルト５１０を感光体１０に当接させることができる。これにより、感光体と現像ベルトとが常に当接している装置に比べ、両者の磨耗を抑制することができる。また、感光体１０と現像ベルト５１０とが離れた状態において、感光体１０の表面をクリーニング装置７０でクリーニングすることができ、また現像ベルト５１０の表面を掻き取りブレード５１４でクリーニングすることができるので、両者の当接開始位置に液体現像剤、プリウェット液、又は塵が溜まるのを防止することができる。これにより、感光体１０の表面に傷が付いて画質が劣化するのを防止することができ、また、各色に対応した数種の液体現像剤が混じり合って混色するのを防止することができる。
【００５８】
また、駆動ローラ５１２ａの軸を軸として現像装置５０を回動させることにより、駆動ローラ５１２ａと駆動ローラ５１２ｂとの軸間距離を変えることなく現像ベルト５１０を感光体１０に離接させる離接装置５５を設けたことにより、現像ベルト５１０を常に一定のテンションで保持することができるので、現像ベルト５１０ト感光体１０とが離接する際にテンションが変化して現像ベルト５１０が蛇行する等の走行不具合を防止することができる。
【００５９】
さらに、本実施例によれば、液体現像剤のキャリア液としてシリコンオイルを用いたことにより、従来のものに比べて以下に述べる利点を有する。
【００６０】
従来の液体現像剤は、一般にキャリア液としてIsoparG （登録商標：Exxon 社製）を用いている。このIsoparは、シリコンオイルほど抵抗値が高くないので、トナー濃度を濃くすると、即ち粒子間距離が小さくなると、トナーの帯電性が悪くなる。したがって、Isoparの場合は、トナー濃度に限界がある。これに対して、本実施例で用いたシリコンオイルは、抵抗値が十分に大きいので、トナー濃度を濃くすることができる。また、一般にIsoparの場合、トナーの分散状態が良く、したがって、トナー濃度が１〜２％でも、トナー同士が反発しあうので、均一にトナーが分散している。これに対して、シリコンオイルは、トナー濃度が１〜２％の場合、分散性が良くなく、じきに沈殿してしまう。しかし、トナー濃度を５〜４０％にすると、密に詰まった状態となり、安定して分散する。このため、本実施例では、トナーが高密度に分散された高粘度の液体現像剤を使用している。これにより、従来の低濃度の液体現像剤に比べて、現像液の液量を大幅に低減することができ、装置の小型化を図ることができる。更に、本実施例の液体現像剤は高粘度の液体であるので、保管や取り扱いの点でも、従来の低粘度の液体現像剤や粉体現像剤に比べて容易になる。
【００６１】
従来の液体現像剤で用いていたIsoparは、前述のように、揮発性が高く、しかも悪臭を放つので、作業環境を悪化させるだけでなく、公害を起こすという問題があった。これに対して本実施例で用いているシリコンオイルは、化粧品用として用いられていることからも明らかなように、安全な液体であり、また無臭であるので、本実施例によれば、作業環境を改善することができ、また公害の問題も発生しない。
【００６２】
本発明は上記の実施例に限定されるものではなく、その要旨の範囲内で数々の変形が可能である。たとえば、上記の実施例では、感光体１０と現像ベルト５１０とを離接させる離接装置として、一端がバー５１８ｃに取り付けられたロープ５５４をリール５５２で巻き取ったり、巻き取られたロープ５５４を解いたりすることにより行うものについて説明したが、本発明はこれに限定されるものではない。例えば、図１４に示す離接装置５５ａのように、現像ベルト用側板５１８，５１８の上側にカム５５１を設け、バネ５５３により現像ベルト用側板５１８，５１８の上面が常にカム５５１に当接するようにしたものでもよい。図１４に示す離接装置によれば、カム５５１を回転することにより、現像装置５０を昇降して感光体１０に離接させることができる。
【００６３】
また、図１５に示す離接装置５５ｂのように、周縁部に凸部５５５ａが設けられた円板車５５５と、一端が円板車５５５の凸部５５５ａに取り付けられ、他端がバー５１８ｃに取り付けられたロープ５５７とを用いたものでもよい。図１５に示す離接装置によれば、円板車５５５を回転することにより、現像装置５０を昇降して感光体１０に離接させることができる。
【００６４】
さらに、図１６に示す離接装置５５ｃのように、バー５１８ｃに取り付けられたソレノイド５５９を用いたものであってもよい。図１６に示す離接装置によれば、ソレノイド５５９に電流を流したり、ソレノイド５５９に流れる電流を遮断したりすることにより、現像装置５０を昇降して感光体１０に離接させることができる。図１４乃至図１６に示す離接装置でも、上記の実施例の場合と同様に、駆動ローラ５１２ａの軸を軸として現像装置を回動させることができ、したがって駆動ローラ５１２ａと駆動ローラ５１２ｂとの軸間距離を変えることなく現像ベルト５１０を感光体１０に離接させることができる。
【００６５】
また、上記の実施例では、塗布部として、複数の搬送ローラ５２２ａ〜５２２ｄを介して現像ベルト５１０上に液体現像剤を塗布したものについて説明したが、本発明はこれに限定されるものではなく、現像ベルト５１０上に薄層の液体現像剤層を形成することができるものであればどのような方法によるものであってもよい。たとえば、現像ベルト５１０上に塗布された液体現像剤をゴム又は剛体のブレードによって層厚を規制することにより、現像ベルト５１０上に薄層の液体現像剤層を形成するものでもよい。
【００６６】
さらに、上記の実施例では、イエローのトナーを含む液体現像剤を現像ベルト５１０に塗布する塗布部５２ａと、マゼンダのトナーを含む液体現像剤を現像ベルト５１０に塗布する塗布部５２ｂと、シアンのトナーを含む液体現像剤を現像ベルト５１０に塗布する塗布部５２ｃと、ブラックのトナーを含む液体現像剤を現像ベルト５１０に塗布する塗布部５２ｄとを備えるものについて説明したが、本発明はこれに限定されるものではない。所望の色のトナーを含む液体現像剤を現像ベルト５１０上に塗布する塗布部を必要に応じて少なくとも一個設けたものであればよい。
【００６７】
さらに、上記の実施例では、画像支持体として有機感光体１０を用いた場合について説明したが、本発明はこれに限定されるものではない。画像支持体は、カールソン法で用いる各種感光体、イオノグラフィ等の静電潜像を直接形成する導体上に絶縁体層を形成したもの、静電プロッタのような静電記録紙等でもよい。
【００６８】
また、上記の実施例では、転写装置として、感光体１０上に形成されたトナー像を中間転写体である中間転写ベルト６１０上に一次転写した後、中間転写ベルト６１０上に一次転写されたトナー像を紙Ｐ上に二次転写することにより、紙Ｐ上に画像を形成するものについて説明したが、本発明はこれに限定されるものではなく、転写装置は、画像支持体上に形成されたトナー像を記録媒体に転写することができるものであればよい。たとえば、モノクロ用の液体現像装置では、画像支持体上に形成されたトナー像を中間転写体上に一次転写することなく記録媒体上に直接転写するものであってもよい。
【００６９】
さらに、上記の実施例では、露光装置４０により帯電した画像支持体上に像を露光し、その後、プリウェット装置２０により画像支持体上にプリウェット液を塗布したものについて説明したが、本発明はこれに限定されるものではなく、プリウェット液の塗布は、現像工程に先立って行われるものであればよい。また、プリウェット液は、粘度が０．５〜５ｍＰａ・ｓ、電気抵抗が１０12Ωｃｍ以上、沸点が１００〜２５０°Ｃ、表面張力が２１ｄｙｎｅ／ｃｍ以下であれば、シリコンオイルを主成分とするものでなくてもよい。さらに、画像支持体の表面に離型性を有する材料がコーティングされたものを用いる場合、特にプリウェット工程を必要とするものではない。
【００７０】
また、本発明は上記の実施例に限定されるものではなく、液体現像剤の層厚が５〜４０μｍ程度であれば、高粘性現像剤の粘度は１００００ｍＰａ・ｓであっても良い。現状では、６０００ｍＰａ・ｓ以上の高粘度の現像剤は、キャリア液とトナーとの攪拌が難しくなるので、コスト的にあわなくなると考えるが、安価に入手できるようになれば、６０００ｍＰａ・ｓ以上でもよい。粘度が１００００ｍＰａ・ｓを越えるものは、現実的でなくなる。また、液体現像剤のキャリア液はシリコンオイルに限定されない。
【００７１】
【発明の効果】
以上説明したように請求項１記載の発明によれば、前記の構成としたことにより、液体現像剤を画像支持体上の潜像面に供給するときにのみ現像剤支持体を画像支持体に当接させることができるので、画像支持体と現像剤支持体とが常に当接している装置に比べ、両者の磨耗を抑制することができ、また、画像支持体と現像剤支持体とを引き離した状態で両者の表面をブレード等でクリーニングすることができるので、両者の当接開始位置に現像剤や塵が溜まるのを防止することができ、したがって、画像支持体の表面に傷が付いて画質が劣化するのを防止することができ、また、カラー対応の液体現像装置においては、各色に対応した数種の液体現像剤が混じり合って混色するのを防止することができる静電潜像の液体現像装置を提供することができる。
【００７２】
また、前記の構成としたことにより、現像剤支持体を画像支持体に離接させる際も、現像剤支持体を常に一定の張力で保持することができるので、張力が変化して現像剤支持体が蛇行する等の走行不具合を防止することができる静電潜像の液体現像装置を提供することができる。
【００７３】
更に、トナーが高濃度に分散された高粘度の液体現像剤を薄層にして現像することにより、高解像度で小型化が容易であり、しかも低公害化が可能な静電潜像の液体現像装置を提供することができる。
【００７４】
請求項２記載の発明によれば、前記の構成としたことにより、請求項１記載の発明の効果に加えて、液体現像剤の濡れ性がよい静電潜像の液体現像装置を提供することができる。
【００７５】
請求項３記載の発明によれば、前記の構成としたことにより、請求項２記載の発明の効果に加えて、公害が少なく、作業環境の改善を図ることができる静電潜像の液体現像装置を提供することができる。
【００７６】
請求項４記載の発明によれば、前記の構成としたことにより、請求項１記載の発明の効果に加えて、転写の際にトナーを剥がしやすくなる静電潜像の液体現像装置を提供することができる。
【図面の簡単な説明】
【図１】本発明の一実施例である静電潜像の液体現像装置の概略構成図である。
【図２】図１に示す静電潜像の液体現像装置に用いられる現像装置の概略正面図である。
【図３】図２に示す現像装置の左側面図である。
【図４】図３に示す現像装置のＡ−Ａ矢視方向概略断面図である。
【図５】図２に示す現像装置のＸ矢視方向概略図である。
【図６】図２に示す現像装置に用いられる離接装置の動作を説明するための図である。
【図７】図１に示す静電潜像の液体現像装置の動作を説明するための図である。
【図８】現像過程の全体を説明するための図である。
【図９】接近過程の様子を説明するための図である。
【図１０】トナー移動過程の様子を説明するための図である。
【図１１】非画像部の分離過程を説明するための図である。
【図１２】画像部の分離過程を説明するための図である。
【図１３】液体現像剤を薄層化したことの意義を説明するための図である。
【図１４】本実施例の変形例に用いられる離接装置の動作を説明するための図である。
【図１５】本実施例の変形例に用いられる離接装置の動作を説明するための図である。
【図１６】本実施例の変形例に用いられる離接装置の動作を説明するための図である。
【符号の説明】
１０    感光体
２０    プリウェット装置
３０    帯電装置
４０    露光装置
５０    現像装置
５１    現像部
５２    塗布部
５２ａ，５２ｂ，５２ｃ，５２ｄ    塗布部
５５，５５ａ，５５ｂ，５５ｃ    離接装置
６０    転写装置
７０    クリーニング装置
５１０    現像ベルト
５１０ａ    リブ
５１２ａ，５１２ｂ，６１２ａ，６１２ｂ，６１２ｃ    駆動ローラ
５１４，６１６    掻き取りブレード
５１８    現像ベルト用側板
５１８ａ    調節板
５１８ｂ    長穴
５１８ｃ    バー
５２０ａ，５２０ｂ，５２０ｃ，５２０ｄ    ベローズポンプ
５２２ａ，５２２ｂ，５２２ｃ，５２２ｄ    搬送ローラ
５２４    アーム
５２８    塗布部側板
５５１    カム
５５２    リール
５５３    バネ
５５４，５５７    ロープ
５５５    円板車
５５５ａ    凸部
５５９    ソレノイド
６１０    中間転写ベルト
６１４    二次転写ローラ
６１８    定着ヒータ
【図１】
0004082446.tif 000002
【図２】
0004082446.tif 000003
【図３】
0004082446.tif 000004
【図４】
0004082446.tif 000005
【図５】
0004082446.tif 000006
【図６】
0004082446.tif 000007
【図７】
0004082446.tif 000008
【図８】
0004082446.tif 000009
【図９】
0004082446.tif 000010
【図１０】
0004082446.tif 000011
【図１１】
0004082446.tif 000012
【図１２】
0004082446.tif 000013
【図１３】
0004082446.tif 000014
【図１４】
0004082446.tif 000015
【図１５】
0004082446.tif 000016
【図１６】
0004082446.tif 000017